(57)【特許請求の範囲】
【請求項１】
構造材にＨ形鋼を用いた折板屋根構造の建造物の前記Ｈ形鋼間に架設するジョイナー保持具と前記ジョイナー保持具に嵌入するジョイナーとからなる天井材支持部材を備えた折板屋根構造であって、
前記ジョイナー保持具は、上板、背板及び下板によって形成した断面コ字状の保持部と、前記下板の先端から折り返して連設した折返片によって、前記下板とともに断面Ｕ字状のクリップ部とからなり、
前記ジョイナー保持具の保持部を上側にしてクリップ部にＨ形鋼の上フランジを挿入することによりジョイナー保持具を固定し、前記保持部の断面コ字状の開口側にジョイナーの端部をＨ形鋼と直交するように嵌入して組み立て、
Ｈ形鋼の上フランジ上には、断面コ字状の保持部の高さと同じ高さのタイトフレーム受台を対向するジョイナー保持具の間にＨ形鋼と同一方向に設け、前記タイトフレーム受台にタイトフレームを載置固定し、前記タイトフレームに金属製の折板屋根を支持して葺設することを特徴とする天井材支持部材を備えた折板屋根構造。
【請求項２】
構造材にＨ形鋼を用いた折板屋根構造の建造物の前記Ｈ形鋼間に架設するジョイナー保持具と前記ジョイナー保持具に嵌入するジョイナーとからなる天井材支持部材を備えた折板屋根構造であって、
前記ジョイナー保持具は、上板、背板及び下板によって形成した断面コ字状の保持部と、前記下板の先端から折り返して連設した折返片によって、前記下板とともに断面Ｕ字状のクリップ部とからなり、
前記ジョイナー保持具の保持部を下側にしてクリップ部にＨ形鋼の上フランジを挿入することによりジョイナー保持具を固定し、前記保持部の断面コ字状の開口側にジョイナーの端部をＨ形鋼と直交するように嵌入して組み立て、
Ｈ形鋼の上フランジ上には、タイトフレームをジョイナー保持具のクリップ部を構成する折返片の間に直接載置固定し、前記タイトフレームに金属製の折板屋根を支持して葺設することを特徴とする天井材支持部材を備えた折板屋根構造。
【請求項３】
ジョイナーは、断面コ字状部材の背面同士を突き合せてＨ形に形成されていることを特徴とする請求項１又は請求項２に記載の天井材支持部材を備えた折板屋根構造。
【発明の詳細な説明】
【技術分野】
【０００１】
本発明は、天井支持部材を備えた折板屋根構造に関する。
【背景技術】
【０００２】
従来から折板屋根構造の建造物においては、大梁、小梁等の構造材にＨ形鋼が用いられている。そして、構造材間に断熱材等を支持する支持部材であるジョイナーを架設し、このジョイナーに天井材となる断熱材等の外周部を載置し、断熱材の上方に金属製の折板屋根を葺設している。天井材を設けることにより、断熱性と共に遮音性も得られる。
【０００３】
天井材となる断熱材は、構造材やジョイナーに載置されているに過ぎないから、台風等の強風で浮上する恐れがあり、また、ジョイナーの高さが低く十分な強度を有していない場合には、ジョイナーの長さの途中で吊り下げる等の補強をする必要があった。ジョイナーを吊り下げるには、足場を組まなければならないなど、作業性にも問題があった。
【０００４】
そこで、このような問題を解消するためには、ジョイナーに載置された天井材をジョイナーに取り付けた押え込み材で押え込むか、ジョイナー側面に設けた凹部に天井材の端縁部を嵌合して浮上を阻止する方法が考えられる。
【０００５】
ジョイナーに載置された断熱材を押え込み材により押え込む方法としては、たとえば、特開平１１−４４０５７号公報（特許文献１）に記載された断熱屋根の構造がある。前記断熱屋根の構造は、梁や母屋のような構造材の間に複数本のジョイナーを架設し、ジョイナー下端に水平に突設した支持片及び構造材上に天井材となる断熱材の端縁部を載置し、断熱材の端縁部をジョイナーの頂部に嵌着した押え具で押え、断熱材の上方に金属製の折板屋根を葺設したものである。
【０００６】
上記断熱屋根の構造は、断熱材の浮上を押え具で押えるから、断熱材の浮上を防止することができる。また、ジョイナーの高さを高くすることができるから、上下方向の曲げ強度が向上し、吊り具による補強の必要性がなくなった。
【０００７】
また、ジョイナーの側面に設けた凹部に断熱材の外周部を嵌合する方法としては、特開２００１−８１９０７号公報（特許文献２）記載の折板支持具或いは特開平１０−７７７２１号公報（特許文献３）に記載の断熱屋根の構造がある。特許文献２は、タイトフレームの両脚部の下端部に内向きの水平片を形成し、前記対向する水平片の間に天井支持材を挟み込んで取り付けた接続部材を挟持するものである。
【０００８】
また、特許文献３は、梁や母屋のような構造材上に支持金具が取り付けられ、構造材間にわたるとともに支持金具にわたってジョイナーが架設支持され、断熱材が構造材間にわたるとともに、ジョイナーに支持されて天井に敷設され、金属製の折板屋根が支持金具に支持されて葺設された断熱屋根の構造である。そして、支持金具にジョイナーを構造材側に押圧固定する押圧固定手段が設けられ、上記断熱材の下面に防湿層が形成されている。
【先行技術文献】
【特許文献】
【０００９】
【特許文献１】特開平１１−４４０５７号公報
【特許文献２】特開２００１−８１９０７号公報
【特許文献３】特開平１０−７７７２１号公報
【発明の概要】
【発明が解決しようとする課題】
【００１０】
上述した特許文献１の断熱屋根の構造では、ジョイナーを断面ハット形に形成し、対向する縦片の間の間隔が中間まで下方程狭くし、中間から下方を平行に形成してなる。前記ジョイナーの頂部に略逆Ｕ字状で両側に押え片を形成した押え部材を嵌着して断熱材を押えるようになっている。そして、ジョイナーの端部は構造材（Ｈ形鋼）に載置され、位置決め具によって位置決めされている。
【００１１】
ところが、上記構造において、ジョイナーは断熱材の幅寸法に応じて位置決め具によって予め溶接されて固定されているから、位置の変更ができないと共に、断熱材をジョイナーに載置した後に押え具を嵌着して押えるものであるから、断熱材の浮上は防止されるものの、作業性が悪いという問題があった。
【００１２】
また、特許文献２の折板支持具は、ジョイナーを接続部材によって保持し、接続部材をタイトフレームの両脚部の下端部に内向きに形成した水平片の間に取り付けてなる。従って、タイトフレームは、ジョイナー及びこれを固定する接続部材の形状によって成形しなければならず、製作コストが増大するという問題がある。
【００１３】
また、特許文献３の断熱屋根の構造は、ジョイナーを下端の両側に略水平な支持片を形成すると共に、上部には三角形状の係止頭部を形成してなり、前記ジョイナーの係止頭部に被せられた押え具によって断熱材を押える。ジョイナー自体は、構造材（Ｈ形鋼）に載置された両端部がタイトフレームとの間に配設した押圧固定手段によって固定されると共に、位置決め板によって位置決め固定されている。
【００１４】
上記特許文献３においても、特許文献２と同様に、タイトフレームの形状もジョイナーや押圧固定手段に合わせて形成しなければならないと問題があり、天井材を配設する作業性が劣るという問題がある。
【００１５】
本発明は、このような状況に鑑みてなされたものであり、タイトフレームの形状とは関係なく成形できるとともに、天井材を支持するジョイナーの位置決めを容易にして、断熱材の施工作業を向上させる天井材支持部材を備えた折板屋根構造を提供することを目的とする。また、天井材の種類に応じてジョイナーを選択できるようにした天井材支持部材を備えた折板屋根構造を提供することを目的とする。
【課題を解決するための手段】
【００１６】
本発明の天井材支持部材を備えた折板屋根構造は、構造材にＨ形鋼を用いた折板屋根構造の建造物の前記Ｈ形鋼間に架設するジョイナー保持具と前記ジョイナー保持具に嵌入するジョイナーとからなる天井材支持部材を備えた折板屋根構造であって、前記ジョイナー保持具は、上板、背板及び下板によって形成した断面コ字状の保持部と、前記下板の先端から折り返して連設した折返片によって、前記下板とともに断面Ｕ字状のクリップ部とからなり、前記ジョイナー保持具の保持部を上側にしてクリップ部にＨ形鋼の上フランジを挿入することによりジョイナー保持具を固定し、前記保持部の断面コ字状の開口側にジョイナーの端部をＨ形鋼と直交するように嵌入して組み立て、
Ｈ形鋼の上フランジ上には、断面コ字状の保持部の高さと同じ高さのタイトフレーム受台を対向するジョイナー保持具の間にＨ形鋼と同一方向に設け、前記タイトフレーム受台にタイトフレームを載置固定し、前記タイトフレームに金属製の折板屋根を支持して葺設することを特徴とする。
【００１７】
前記ジョイナー保持具のクリップ部の折返片を下板との間隔が開口側に向かって狭くなるように内側に傾斜させた略Ｕ字状とすることが好ましい。また、前記折返片の先端部は外側に傾斜した傾斜片とすることが好ましい。このように、クリップ部を開口側の間隔を狭くし、先端部を外側への傾斜片とすることによって、Ｈ形鋼のフランジの挿入が容易になるとともに、挿入後の挟持力を向上させることができる。
【００１８】
また、本発明の天井材支持部材を備えた折板屋根構造は、構造材にＨ形鋼を用いた折板屋根構造の建造物の前記Ｈ形鋼間に架設するジョイナー保持具と前記ジョイナー保持具に嵌入するジョイナーとからなる天井材支持部材を備えた折板屋根構造であって、前記ジョイナー保持具は、上板、背板及び下板によって形成した断面コ字状の保持部と、前記下板の先端から折り返して連設した折返片によって、前記下板とともに断面Ｕ字状のクリップ部とからなり、前記ジョイナー保持具の保持部を下側にしてクリップ部にＨ形鋼の上フランジを挿入することによりジョイナー保持具を固定し、前記保持部の断面コ字状の開口側にジョイナーの端部をＨ形鋼と直交するように嵌入して組み立て、
Ｈ形鋼の上フランジ上には、タイトフレームをジョイナー保持具のクリップ部を構成する折返片の間に直接載置固定し、前記タイトフレームに金属製の折板屋根を支持して葺設することを特徴とする。
前記ジョイナーは、断面コ字状部材の背面同士を突き合せてＨ形に形成することが好ましい。このように、同一形状の断面コ字状部材を突き合わせて一体に形成することによって、長尺であっても曲げ強度が向上し、吊り下げ具によって吊り下げる必要がないとともに、天井材の保持力を増大させることができる。
【発明の効果】
【００１９】
本発明の天井材支持部材を備えた折板屋根構造によれば、天井材支持部材は、Ｈ形鋼のフランジにジョイナー保持具を取り付け、ジョイナーの端部を前記ジョイナー保持部具の保持部に嵌入するだけで組み立てられるから、施工作業が容易で、効率的に行うことができる。また、断熱材等の天井材は、前記天井材支持部材に確実に固定されるから、強風等によって浮き上がるおそれはない。
【００２０】
また、ジョイナーは、タイトフレームやタイトフレーム受台に固定するものではなく、直接Ｈ形鋼のフランジに取り付けたジョイナー保持具を介して架設するものであるから、折板屋根やタイトフレームの構造にかかわらず適用することができる。さらに、ジョイナー保持具は、クリップ部にＨ形鋼のフランジを挿入するだけであるから、位置の調整が容易である。
【図面の簡単な説明】
【００２１】
【図１】本発明に係る天井材支持部材を構成するジョイナー保持具の図であって、図１(ａ）は斜視図、図１(ｂ)は側面図である。
【図２】本発明に係る天井材支持部材を構成するジョイナーを示し、図２(ａ）はＨ形ジョイナーの斜視図、図２(ｂ)は断面略ハット形ジョイナーを示し、図２（ｃ）は断面略ロ字状ジョイナーを示す斜視図である。
【図３】Ｈ形ジョイナーを大梁に使用した実施形態の例を示す一部破断した斜視図である。
【図４】図３における大梁の長手方向から見た説明用断面図である。
【図５】Ｈ形ジョイナーを小梁に使用した実施形態の例を示す一部破断した斜視図である。
【図６】断面略ハット形ジョイナーを大梁に使用した実施形態の例を示す一部破断した斜視図である。
【図７】断面略ハット形ジョイナーを大梁に使用した実施形態の例を示す一部破断した斜視図である。
【図８】断面略ハット形ジョイナーを小梁に使用した実施形態の例を示す一部破断した斜視図である。
【発明を実施するための最良の形態】
【００２２】
以下、本発明の天井材支持部材を備えた折板屋根構造における天井材支持部材の一実施形態を、図１及び図２を参照しながら説明する。まず、図１は、天井支持部材を構成するジョイナー保持具１０の一例を示すものである。ジョイナー保持具１０は、ジョイナーを保持する断面コ字状の保持部１１と、前記保持部１１と一部を共有し、反対側に開口する略Ｕ字状クリップ部１２によって形成されている。
【００２３】
前記保持部１１は、ジョイナーの先端部を長手方向から挿入可能な大きさに形成されており、上板１１ａ、背板１１ｂ、下板１１ｃにより断面においてコ字状に形成されている。前面の開口側からジョイナーを挿入して組み立てる。保持部１１の大きさは、組み立てるジョイナーの大きさに対応して形成すればよく、例えば、高さ寸法を３０〜７０ｍｍ、幅寸法を１００〜２００ｍｍ、奥行き寸法を３０〜７０ｍｍとすることができる。
【００２４】
前記クリップ部１２は、保持部１１の下板１１ｃの先端を折り返して連設した折返片１２ａにより、下板１１ｃと共に後述するＨ形鋼のフランジを挟持するように略Ｕ字状に形成されている。このように、クリップ部１２は、下板１１ｃを共有して形成されており、前記保持部１１とは反対側に開口している。
【００２５】
折返片１２ａは、図１(ｂ)から明らかなように、下板１１ｃとの間隔が開口側に向かって徐々に狭くなるように、前記下板１１ｃ側に傾斜しており、先端部は外側に傾斜した傾斜片１２ｂとされている。折返し片１２ａを先端内側に傾斜させると共に、先端部を外側に傾斜した傾斜片１２ｂとすることによって、Ｈ形鋼のフランジ部を挿入する際に容易に挿入することができるとともに、挿入後の挟持力を向上させることができる。
【００２６】
従って、クリップ部１２の間隔は、Ｈ形鋼のフランジ部の厚さに対応して形成すればよい。また、ジョイナー保持具１０の材質は特に限定されるものではなく、金属、プラスチック等任意に選択することができるが、例えば、肉厚１〜２ｍｍの亜鉛処理鋼板を折曲加工して形成することが好ましい。
【００２７】
次に、図２に基づいて、天井材支持部材を構成するジョイナーについて説明する。図２(ａ)はＨ形ジョイナー２１の一例を示し、断面コ字状部材２１ａ，２１ａの背面２１ｂ、２１ｂ同士を突き合わせて一体に形成したものである。断面コ字状部材２１ａを一体に形成するには、接着、ビス止め、ネジ止め等の任意の方法により形成することができる。このように、同一形状の断面コ字状部材２１ａ，２１ａを突き合わせて一体に形成することによって、長尺であっても曲げ強度が向上し、吊り下げ具によって吊り下げる必要がないとともに、天井材の保持力を増大させることができる。
【００２８】
前記Ｈ形ジョイナー２１は、側面の開口２１ｃに天井材の端縁部を嵌合させて保持させる。従って、ジョイナーの頭部に嵌着した押え具によって天井材を押える必要はなく、簡単な構造とすることができコストの低減を図ることができる。また、ジョイナー２１の先端部はジョイナー保持部１０の保持部１１に嵌入されており、天井材を確実に固定することができるから、天井材の浮上を防止することができる。Ｈ形ジョイナー２１は、両側面から天井材を嵌合できる開口面を有していればよく、一体に成形したものであってもよい。
【００２９】
次に、図２(ｂ)は断面略ハット形ジョイナー２２の一例を示し、断面コ字状の支持部２２ａの下端から外側に折り曲げられた突片２２ｂを突設することによって形成されている。突片２２ｂを突設することによって、長尺であっても曲げ強度を増大させることがきる。前記断面略ハット形ジョイナー２２は、後述するように、支持部２２ａの上面に天井材、例えば遮熱板を載置して使用するのに適している。
【００３０】
図２（ｃ）は、断面形状が略ロ字状に形成された断面ロ字状ジョイナー２３を示す。断面形状をロ字状の中空体とすることによって、曲げ強度を増大させることができる。前記断面ロ字状ジョイナー２３は、断面略ハット形ジョイナー２２と同様に、上面に天井材、例えば遮熱板を載置して使用することができる。
【００３１】
上記Ｈ形ジョイナー２１、断面略ハット形ジョイナー２２及び断面ロ字状ジョイナー２３とも、その材質は特に限定されるものではなく、金属、プラスチック等任意の材質により形成することができる。例えば、肉厚０．５〜１．２ｍｍの鋼板を折曲加工して形成することが好ましい。
【００３２】
次いで、上記構成の天井材支持部材の使用した実施形態の一例について説明する。図３〜図６は、ジョイナー保持具１０とジョイナーとしてＨ形ジョイナー２１を組み合わせた場合の実施形態を示す。先ず、構造材であるＨ形鋼３０の大梁３１の上フランジ３２にジョイナー保持具１０を取り付ける。この実施形態では、ジョイナー保持具１０は、保持部１１を上側にしてクリップ部１２に上フランジ３２を挿入する。クリップ部１２は、開口に向かって間隔が徐々に狭くなっているものの、先端部に外側に傾斜する傾斜片１２ｂを形成することによって、上フランジ３２を容易に挿入することができ、挿入後は確実に挟持させることができる。
【００３３】
クリップ部１２に上フランジ３２を挿入すると、保持部１１は上フランジ３２に載置された状態となる。次いで、Ｈ形ジョイナー２１の端部を大梁３１と直交するように保持部１１に嵌入させる。Ｈ形ジョイナー２１は大梁３１間に架設された状態で配置される。次に、天井材である断熱材４０の端縁部を前記Ｈ形ジョイナー２１の開口２１ｃに挿入する。断熱材４０はＨ形ジョイナー２１によって保持されるから、強風等によって浮上するのが防止される。
【００３４】
上フランジ３２上には、タイトフレーム５０を載置固定するタイトフレーム受台５１が設けられている。ジョイナー保持具１０は、大梁３１上において前記タイトフレーム受台５１を間にして対向するように設けられている。前記タイトフレーム受台５１の形状は特に限定されないが、例えば、図３及び図４図に示すようにリップ溝形とすることができ、保持部１１の高さと同じ高さとすることが好ましい。タイトフレーム受台５１の上にタイトフレーム５０を載置固定し、公知の方法によって折板屋根５２を葺設すればよい。
【００３５】
上述の通り、ジョイナー保持具１０のクリップ部１２をＨ形溝の上フランジ３２に取り付け、上フランジ３２に載置固定されている保持部１１にＨ形ジョイナー２１の端部を嵌入することによって、吊具により補強しなくても断熱材４０を確実に保持し、気密性を高めることができる。また、施工が容易であるから作業効率がよい。
【００３６】
図５は、同じく天井材支持部材をジョイナー保持具１０とＨ形ジョイナー２１の組み合わせとした場合であるが、保持部１１を上フランジの下方に向けて取り付けた点において、図３及び図４に示す実施形態と異なる。従って、他の同一構成については同一符号を付してその説明は省略する。
【００３７】
即ち、図５は、小梁３３に取り付けた場合を示し、ジョイナー保持具１０は、保持部１１を下側にしてクリップ部１２に上フランジ３４を挿入する。クリップ部１２は、先端部の傾斜片１２ｂによって上フランジ３４を容易に挿入することができ、挿入後は上フランジ３４を確実に挟持させることができる。
【００３８】
このように、保持部１１を上フランジ３４の下側に向けて取り付けた場合には、タイトフレーム５０を小梁３３上に直接固定することができる。この実施形態においても施工作業性、気密性、強風による浮き上がりの防止等、いずれも図３及び図４に示す使用例と同様の効果を奏することができる。
【００３９】
次に、図６図〜図８図に示す実施形態は、天井材支持部材をジョイナー保持具１０と断面略ハット形ジョイナー２２を組み合わせた場合を示す。この実施形態においては、天井材としてシート状の遮熱材４１を使用した場合であり、前記実施形態と同様の構成については同一符号を付してその説明は省略する。
【００４０】
Ｈ形鋼３０の大梁３１の上フランジ３２にジョイナー保持具１０のクリップ部１２を挟持させる。このとき、ジョイナー保持具１０の保持部１１は、上フランジ３２の上側に載置した状態で固定される。ジョイナー保持具１０は、上フランジ３２を挟持しているものであるから、左右にずらして位置を調整することができる。
【００４１】
次いで、前記保持部１１に断面略ハット形ジョイナー２２の端部を挿入する。このとき、シート状遮熱材４１の端縁を断面略ハット形ジョイナー２２の上面に載置し、断面略ハット形ジョイナー２２の端部を保持部１１に挿入すると同時に、遮熱材４１の隅部も挿入することが好ましい。このように、断面略ハット形ジョイナー２２の端部と遮熱材４１の隅部を同時に、保持部１１に挿入することによって一体に固定することができる。遮熱材４１は、断面略ハット形ジョイナー２２を保持部１１に嵌入した後に前記ジョイナー２２の上面に載置してもよい。
【００４２】
断面略ハット形ジョイナー２２の上面に載置され、突き合わせられた遮熱材４１の端縁同士は、粘着テープ等、例えば、アルミテープ等により一体に接続させることが好ましい。このように、遮熱材４１の端縁同士を接続させることによって、遮熱材の浮き上がりを確実に防止することができる。
【００４３】
なお、断面略ハット形ジョイナー２２を使用した場合に、遮熱材４１を突片２２ｂに載置し、遮熱材４１の端縁を断面略ハット形ジョイナー２２の支持部２２ａの側面にアルミテープ等により一体に固定してもよい。さらに、前記遮熱材に代えて断熱材４０を突片２２ｂに載置し、断熱材４０の端縁を断面略ハット形ジョイナー２２の支持部２２ａの側面にアルミテープ等により一体に固定してもよい。また、断熱材４０は、支持部２２ａの上面とアルミテープ等により一体に固定してもよい。
【００４４】
上述のように、ジョイナー保持具１と断面略ハット形ジョイナー２２の組み合わせにおいて、保持部１１を上側に向けて上フランジ３２に取り付けた場合には、
Ｈ形ジョイナー２１を使用した場合と同様に、大梁３１上にタイトフレーム受台５１を設け、前記タイトフレーム受台５１にタイトフレーム５０を載置固定する。タイトフレーム５０を載置固定した後、折板屋根５２を葺設する。
【００４５】
図８は、同じく天井材支持部材をジョイナー保持具１０と断面略ハット形ジョイナー２２とを組み合わせた場合であるが、保持部１１を上フランジの下方に向けて取り付けた点において、図６及び図７に示す実施形態と異なる。
【００４６】
即ち、図８は、図５に示したジョイナー保持具１０とＨ形鋼ジョイナー２１との組み合わせに対応しており、ジョイナー保持具１０と断面略ハット形ジョイナー２２を組み合わせた天井材支持部材を小梁３３に取り付けた場合を示している。ジョイナー保持具１０は、保持部１１を下側にしてクリップ部１２に上フランジ３４を挿入する。このように、保持部１１を上フランジ３４の下側に向けて取り付けた場合には、タイトフレーム５０を小梁３３上に直接固定することができる。従って、施工作業性、気密性、強風による浮き上がりの防止等の効果を奏することができる。
【００４７】
断面ロ字状ジョイナーの使用例については、図示するのを省略したが、断面略ハット形ジョイナー２２と同様に使用することができ、上面に遮熱材４１を載置し、突き合せられた遮熱材同士の端縁部をアルミテープ等により接続すればよい。
【００４８】
尚、上記使用例においては、ジョイナー保持具１０をＨ形鋼の上フランジに取り付ける場合について説明したが、下フランジに取り付けることも可能である。下フランジに取り付ける場合にも、ジョイナー保持具１０の保持部１１を下フランジの上下いずれの側に向けて取り付けてもよいことはもちろんである。
【符号の説明】
【００４９】
１０：ジョイナー保持具
１１：保持部
１２： クリップ部
２１：Ｈ形ジョイナー
２２：断面略ハット形ジョイナー
２３：断面略ロ字状ジョイナー
３０：Ｈ形鋼
３１：大梁
３２：上フランジ
３３：小梁
４０：断熱材
５０：タイトフレーム
５１：タイトフレーム受台
５２：折板屋根
【要約】
【課題】構造が簡単で施工作業が容易な折板屋根用の天井材支持部材を提供する。
【解決手段】構造材にＨ形鋼を用いた折板屋根構造の建造物の前記Ｈ形鋼間に架設する天井材支持部材であって、ジョイナーと前記ジョイナーの端部を嵌入するジョイナー保持具とを組み合わせてなり、前記ジョイナー保持具は、上板、背板及び下板によって形成した断面コ字状の保持部と、前記下板の先端から折り返して連設した折返片によって下板とともに断面Ｕ字状クリップ部とからなり、前記クリップ部にＨ形鋼のフランジを挿入することによりジョイナー保持具を固定し、ジョイナーの端部を前記保持部にＨ形鋼と直交するように嵌入して組み立てることを特徴とする。ジョイナーの断面形状は、断面Ｈ形、断面略ハット形、断面ロ字状のいずれであってもよい。
【選択図】図３
図１【図１】
0005616554.tif 000002
【図２】
0005616554.tif 000003
【図３】
0005616554.tif 000004
【図４】
0005616554.tif 000005
【図５】
0005616554.tif 000006
【図６】
0005616554.tif 000007
【図７】
0005616554.tif 000008
【図８】
0005616554.tif 000009